(57)【特許請求の範囲】
【請求項１】
地下構造物の枠体（１１）の開口を閉じるための蓋体（１２）がヒンジ装置（３８）によって枠体に開閉可能に繋ぎ止められており、その蓋体（１２）を施錠するために設けられた錠装置であって、開口を閉じている蓋体（１２）を施錠状態とし、外部操作によって施錠状態を解除する状態となる鉤部材（１５）を枠体側に設け、その鉤部材（１５）は上端に鉤部（１６）を有する縦長の鉤杆（１７）を有し、かつ枠体の内側に軸支されているリンクアーム部（４０）により取り付け部（２４）の範囲で上下方向へ移動可能に設けられており、解錠のために蓋体（１２）が枠体（１１）よりも上まであげられ、その後蓋体（１２）に加えられる内外方向への動きにより施錠を解除可能に、枠体側に軸支されていることを特徴とする地下構造物用錠装置。
【請求項２】
鉤部材（１５）は蓋体（１２）を施錠状態とする方向へ弾性手段によって付勢されている請求項１記載の地下構造物用錠装置。
【請求項３】
鉤部材（１５）は上端に鉤部（１６）を有する縦長の鉤杆（１７）を２個左右に並結した構造を有している請求項１又は２記載の地下構造物用錠装置。
【発明の詳細な説明】
【０００１】
【発明の属する技術分野】
本発明は地下構造物の枠体の開口を閉じる蓋体の施錠のための錠装置に関するものである。
【０００２】
【従来の技術】
例えばマンホールの蓋を開いて用もなく内部に立ち入ったり、内部へごみを投棄したりするのを防止するために施錠可能とした構成を有するものは従来から公知である。このような錠装置は、蓋体をヒンジ止めした装置とともに設けられるので、例えば内圧の上昇によって蓋体を押し上げる力が作用しても蓋体が外されることがない。
【０００３】
しかし、従来の錠装置では、例えば実開昭５９−１１６４４９号、同５９−８０５４９号のものがそうであるように、開錠操作用の部材を差し込むために貫通した孔を蓋体に設けている。このため雨水などが地下構造物内へ流入してしまうという問題がある。
【０００４】
また、従来の錠装置では鉤部材が蓋側に設けられており、そのため開蓋後に開口を開こうとして蓋体をずらしたとき、鉤部材で路面を傷付けるとか、逆に大きなショックを加えて鉤部材を破損させるというような問題もある。鉤部材が蓋側にあるという点は、例えば特開平９−２０３０６７号等最近の発明にも共通している。
【０００５】
【発明が解決しようとする課題】
本発明は前記の点に着目してなされたものであって、その課題は、開蓋のために蓋体を旋回させたとき、鉤部材で路面等を傷付けたり、或いは鉤部材が損傷を蒙ったりすることがないようにする点にある。また開蓋操作の容易であること、不法投棄防止・浮上防止効果を有しながら雨水などを地下構造物内へ侵入させないこと等も本発明の課題である。
【０００６】
【課題を解決するための手段】
前記の課題を解決するため、本発明は、開口を閉じている蓋体を施錠状態と
し、外部操作によって施錠状態を解除する状態となる鉤部材を枠体側に設け、その鉤部材は上端に鉤部を有する縦長の鉤杆を有し、かつ枠体の内側に軸支されているリンクアーム部により取り付け部の範囲で上下方向へ移動可能に設けられており、解錠のために蓋体が枠体よりも上まであげられ、その後蓋体に加えられる内外方向への動きにより施錠を解除可能に、枠体側に軸支されているという手段を講じている。
【０００７】
【発明の実施の形態】
本発明の地下構造物用錠装置は、地下構造物の枠体の開口を閉じる蓋体を施錠するためのものである。このような開口はマンホールであることもあるし、またそうでないものも含む。
【０００８】
蓋体は本発明の錠装置によって施錠されるが、それと同時に、ヒンジ装置（蝶番装置）によって枠体に開閉可能に繋ぎ止められたものである。ヒンジ装置が併設されている場合において、本発明の錠装置は最少限１組が設けられる。
【０００９】
本発明の錠装置に用いられる鉤部材は、前記の開口を閉じている蓋体を施錠状態とする。つまり閉じている蓋体が開かれないように鉤部材が蓋体を拘束するものであり、これが本発明における施錠である。従って鉤部材による拘束を可能にする部分を蓋体は必要とするが、当該部分は蓋体を開く力、つまり蓋体を持ち上げる力に対し鉤部材による拘束を可能にする形態を持つ。
【００１０】
鉤部材は枠体側に設けられ、外部から操作を加えたときに生ずる、蓋体の所要の動きによって、蓋体の施錠状態を解除する状態とする。鉤部材を枠体側に設けるため、蓋体に鉤部材は不要となり、蓋体の取り扱いが容易となる。解錠には、外部から蓋体に加える操作力を使用するので、解錠操作のために蓋体に貫通孔を設ける必要がない。蓋体の解錠に必要な動きを蓋体に与えて、鉤部材を操作し、施錠が解除される状態とする。
【００１１】
鉤部材による蓋体の施錠状態を解除するために必要な蓋体の所要の動き、とは蓋体の上下方向への動きと内外方向への動きとする。上下方向の動きだけでは蓋体が外されない、反面、内外方向への動きは人為的に操作し易いからである。従って、鉤部材も、この蓋体の所要の動きに追随可能とするが、外方にだけは追随しない。その結果、蓋体を操作して鉤部材に対する解錠操作することが可能となる。
【００１２】
鉤部材は、蓋体を施錠状態とする方向へ付勢されることが望ましく、例えば、ばね等弾性手段を用いることができる。
【００１３】
【実施例】
以下本発明の地下構造物用錠装置を図示の実施例を参照してより詳細に説明する。各図において、１１は円形マンホールを構成する地下構造物の枠体、１２はその開口１３を閉じる蓋体を示す。その枠体１１の立ち上がり部１４の内側に、鉤部材１５が設けられる。
【００１４】
例示された鉤部材１５は上端に鉤部１６を有する縦長の鉤杆１７を２個左右に並結した構造を有している。鉤部材１５は、左右の側辺部を囲むように枠体１１の内側に設けられた左右の凹部１９、１９に、上下方向へ移動可能に設けられている（図４、図５参照）。鉤部材１５は、リンクアーム部４０によって枠体１１に上下可能に取り付けられており、鉤部材１５は下端とリンクアーム部４０の軸部２１で結合され、リンクアーム部４０は他端の取り付け軸２２で枠体１１に結合されている。取り付け軸２２の部分は、枠体１１の立ち上がり部側に設けられる断面扇状の取り付け部２４の奥に回転可能に軸支されている。
【００１５】
従って鉤部材１５は、枠体側にリンクアーム部４０によって軸支された状態にあり、かつその状態で扇状の取り付け部２４の範囲にて上下方向へ移動可能となる。リンクアーム部４０は取り付け軸２２を扇状の取り付け部２４に軸支した状態で、抜け止め４１によって枠体側に組み付けられる。さらに鉤部材１５は、鉤部１６が枠体内から外へ向かう方向、つまり蓋体１２を施錠状態とする方向へ付勢手段２６としての弾性体によって付勢されている。例示された付勢手段２６はねじりばねであり、その一端を鉤部材１５に掛けて上記の方向のトルクを加えている。
【００１６】
鉤部材１５による拘束つまり施錠を可能にする錠止部分２７は蓋体１２の周縁の立ち下がり部２８の内側に設けられる。鉤止部分２７は相対的に鉤部１６の内方への移動によって鉤部１６との係合から外れ、外方への移動によって鉤部１６と係合可能になる。
【００１７】
蓋体１２には開蓋工具３０による操作のために必要なこじり穴２９が外縁部に用意される。こじり穴２９は袋穴状であり、水が入っても地下構造物内には侵入しない構造を有する。開蓋工具３０は先端のフック部３１をこじり穴２９に差し込みかつこじり穴間の掛け部３２に引っ掛けることができる。３３は枠体１１の立ち上がり部１４を支点とする際に用いる突部、３４は蓋体表面をおさえる突部であるが、このような開蓋工具は例えば実公平７−４３１８５号等によって公知である。図６参照。
【００１８】
実施例の錠装置では、鉤部材１５は付勢手段２６によって付勢され、枠体１１の内側に略直立した状態に保持される。故に、蓋体１２を閉じる際、立ち下がり部２８が鉤部１６と枠体上縁との間に入り込み、鉤部上側の滑らかな斜面３７に接して鉤部材１５を内方へ押し（図４）、蓋体１２が枠体１１に完全に受け支えられると、付勢されている鉤部材１５の鉤部１６が蓋体１２の錠止部分２７に入り込み施錠状態となる。
【００１９】
施錠状態から解錠状態とするには、開蓋工具３０を用い、フック部３１で蓋体１２を上方へ引き上げると、リンクアーム部４０が扇状の取り付け部２４内にて上方に回動する。このとき蓋体１２は枠体１１よりも上まであげられるので、外方へ蓋体１２を引き出すと、鉤部１６から錠止部分２７が外れて施錠を解除した状態とすることができる。
【００２０】
なお、蓋体１２は枠体１１にヒンジ装置３８によって、開閉可能に結合されている。図１中、３９はそのため枠体側に設けられているヒンジ受け部であって、蓋体側の図示されていないヒンジ金具が差し込まれる。
【００２１】
【発明の効果】
本発明は以上の如く構成され、かつ作用するものであるから、開蓋した蓋体を旋回して、蓋体の下面が道路等設置部に接触するような状態となっても、蓋体には鉤部材が設けられていないため上記の道路等を傷付けることがなく、かつ鉤部材が損傷を蒙ったりすることがないという効果を奏する。また蓋体を上下方向へ移動させ、内外方向へ移動させることにより解錠することができるので、従来の錠装置の或るタイプのように蓋を引き上げながら工具で解錠するというような操作が不要なため作業性が良く、雨水等を地下構造物内へ侵入させることがない。
【図面の簡単な説明】
【図１】本発明の地下構造物用錠装置に関する実施例を適用する枠体の平面図。
【図２】同じく蓋体の部分平面図。
【図３】同じく枠体側の平面図。
【図４】同上の施錠状態の断面図。
【図５】同じく解錠直前の状態の断面図。
【図６】本発明装置に使用する開蓋工具の部分側面図。
【符号の説明】
１１  枠体
１２  蓋体
１５  鉤部材
１６  鉤部
１７  鉤杆
２４  取り付け部
３８  ヒンジ装置
４０  リンクアーム部
【図１】
0003759490.tif 000002
【図２】
0003759490.tif 000003
【図３】
0003759490.tif 000004
【図４】
0003759490.tif 000005
【図５】
0003759490.tif 000006
【図６】
0003759490.tif 000007